(57)【要約】【課題】既存の検査環境等において容易に適用できるようにして、低コストで導入可能とするとともに、人為的なミスでの検査工程の未完了などにより不良品が流出する事態を防止できる。【解決手段】所定の検査対象に対する複数の検査工程に対応して配置される端末装置１１〜１ｍと、各検査工程の検査結果情報が記憶される情報記憶手段を有したサーバ装置２０と、を備え、端末装置１１〜１ｍが、サーバ装置２０の情報記憶手段から端末装置１１〜１ｍに対応する検査工程より前の検査工程の検査結果情報を取得する情報取得手段と、情報取得手段で取得した検査結果情報に基づいて所定の通知を行なう通知手段と、を備える。【選択図】      図１
2010026757.tif 000002
【特許請求の範囲】
【請求項１】
所定の検査対象に対する複数の検査工程に対応して配置される端末装置と、前記各検査工程の検査結果情報が記憶される情報記憶手段を有したサーバ装置と、を備え、
前記端末装置が、
前記サーバ装置の情報記憶手段から当該端末装置に対応する検査工程より前の検査工程の検査結果情報を取得する情報取得手段と、
前記情報取得手段で取得した検査結果情報に基づいて所定の通知を行なう通知手段と、
を備えることを特徴とする検査工程管理システム。
【請求項２】
前記端末装置が、前記検査対象に付される固有の識別情報を入力する識別情報入力手段を備え、
前記情報取得手段が、前記識別情報入力手段で入力された識別情報に基づいて、検査結果情報を取得する請求項１記載の検査工程管理システム。
【請求項３】
前記端末装置が、
当該端末装置に対応する検査工程における前記検査対象の検査結果情報を作成する情報作成手段と、
前記情報作成手段で作成した検査結果情報及び前記識別情報入力手段で入力された前記検査対象に対応する識別情報を前記サーバ装置に送信する情報送信手段とを備え、
前記サーバ装置が、
前記識別情報及び検査結果情報を受信する情報受信手段と、
該情報受信手段が受信した識別情報及び当該識別情報に関連付けた検査結果情報を前記情報記憶手段に記憶させる情報管理手段と、
を備える請求項２記載の検査工程管理システム。
【請求項４】
前記端末装置が、
前記検査対象の検査に関連する情報を入力可能な検査情報入力手段を備え、
前記情報作成手段が、前記検査情報入力手段により入力された情報に基づいて検査結果情報を作成する請求項３記載の検査工程管理システム。
【請求項５】
前記端末装置が、
前記検査対象に所定の検査信号を送受信して検査を行なう検査手段を備え、
前記情報作成手段が、前記検査手段が行なった検査の結果に基づいて前記検査結果情報を作成する請求項３又は４記載の検査工程管理システム。
【請求項６】
前記情報取得手段が取得した検査結果情報に基づいて、未実施の検査工程の有無を判定する判定手段を備え、
前記判定手段が、未実施の検査工程が有ることを判定したときに、前記通知手段が、受けるべき検査工程の通知を行なう請求項１〜５のいずれか一項に記載の検査工程管理システム。
【請求項７】
前記通知手段が、前記所定の通知として前記検査結果情報自体を通知する請求項１〜６のいずれか一項に記載の検査工程管理システム。
【請求項８】
前記通知手段が、検査結果情報に基づく所定の表示を行なう表示手段を備える請求項１〜７のいずれか一項に記載の検査工程管理システム。
【請求項９】
所定の検査対象に対する複数の検査工程に対応して配置される端末装置であって、
サーバ装置が備える前記各検査工程の検査結果情報が記憶される情報記憶手段から、対応する検査工程より前の検査工程の検査結果情報を取得する情報取得手段と、
前記情報取得手段で取得した検査結果情報に基づいて所定の通知を行なう通知手段と、
を備えることを特徴とする端末装置。
【請求項１０】
前記検査対象に付される固有の識別情報を入力する識別情報入力手段を備え、
前記情報取得手段が、前記識別情報入力手段で入力された識別情報に基づいて、検査結果情報を取得する請求項９記載の端末装置。
【請求項１１】
所定の検査対象に対する複数の検査工程に対応して配置される端末装置と通信可能なサーバ装置であって、
前記各検査工程の検査結果情報が記憶される情報記憶手段と、
前記情報記憶手段に記憶された検査結果情報を発信する情報発信手段と、を備え、
前記端末装置に、検査結果情報に基づいて所定の通知を行なわせることを特徴とするサーバ装置。
【請求項１２】
前記情報発信手段が、
前記端末装置に入力されて当該端末装置から送信された前記検査対象に付される固有の識別情報を受信する識別情報受信手段を備え、
前記識別情報受信手段が受信した識別情報に基づいて、当該識別情報に対応する検査対象の検査結果情報を発信する請求項１１記載のサーバ装置。
【請求項１３】
所定の検査対象に対する複数の検査工程において、前記各検査工程の検査結果情報が記憶される情報記憶手段から、実行する検査工程より前の検査工程の検査結果情報を取得するステップと、
取得した検査結果情報に基づいて所定の通知を行なうステップと、
を含むことを特徴とする検査工程管理方法。
【請求項１４】
前記検査対象に付される固有の識別情報を入力するステップを含み、
前記入力された識別情報に基づいて、実行する検査工程より前の検査工程の検査結果情報を取得する請求項１３記載の検査工程管理方法。
【請求項１５】
所定検査対象に対する複数の検査工程毎に配置される端末装置を、
サーバ装置に備えられる情報記憶手段から、当該端末装置に対応する検査工程より前の検査工程の検査結果情報を取得する情報取得手段、
前記情報取得手段で取得した検査結果情報に基づいて所定の通知を行なう通知手段、
として機能させるための検査工程管理プログラム。
【請求項１６】
前記端末装置を、前記検査対象に付される固有の識別情報を入力する識別情報入力手段として機能させ、
前記情報取得手段が、前記識別情報入力手段で入力された識別情報に基づいて、検査結果情報を取得するように機能させるための請求項１５記載の検査工程管理プログラム。
【発明の詳細な説明】
【技術分野】
【０００１】
本発明は、例えば、検査対象に対する複数の検査工程において、各検査工程の管理を行なう検査工程管理システム、端末装置、サーバ装置、検査工程管理方法及び検査工程管理プログラムに関する。
【背景技術】
【０００２】
電気機器等の物品などの検査対象に対する複数の検査工程を順に行なうときに、各検査工程の管理を行なう検査工程管理システムがある。
この種の検査工程管理システムの技術においては、例えば、特許文献１及び２記載の技術が提案されている。
特許文献１には、検査工程における測定結果表示システムの技術が記載されている。
この測定結果表示システムは、検査工程に対応する測定条件に基づき、ロットの測定を行い測定データを得る装置と、一つ又は複数の工程における装置の制御・管理を集中して行うホストとを備えている。
【０００３】
ホストは、投入決定されたロットの測定条件をネットワークを介して装置に送信する装置制御サーバと、ネットワークを介して受信した前記測定データについて、予め設定された判定基準に基づき測定データ判定を行い、測定値判定結果を生成して装置に送信する工程管理サーバとを有している。
そして、装置は、ホストから受信した測定値判定結果と予め登録された表示基準とに従い、測定値判定結果に対応する表示を行なう。
【０００４】
また、特許文献２には、半導体装置の製造システムの技術が記載されている。
この製造システムは、半導体装置の製造システムとして、複数の処理装置と、複数の検査装置と、これらの処理装置及び検査装置に接続された製造工程管理システムなどから構成される。
【０００５】
処理装置は、成膜、レジスト塗布、露光、現像、エッチング、レジスト除去、洗浄、不純物注入などの各工程において各処理を行なう。
検査装置は、外観検査、異物検査工程などの各工程において各検査を行なう。
製造工程管理システムは、製造フローに基づいて各処理装置及び各検査装置を動作させて、半導体装置の製造工程を管理するためのシステムであって、半導体ウェハ上に導電膜を形成する第一の処理工程の終了からの経過時間を監視し、この経過時間が半導体装置の電気特性を規定する規格値を超える制限時間となったときに、以降に行なうべき第一の検査工程をスキップするように製造工程フローを自動的に書き換える。そして、この書き換えた製造工程フローに基づいて工程を進めていく機能を備えている。
【０００６】
【特許文献１】特開２００４−１２８２０３号公報
【特許文献２】特開２００５−０５１００１号公報
【発明の開示】
【発明が解決しようとする課題】
【０００７】
しかしながら、上記の検査工程管理システムは、検査工程と次の検査工程間の物品の移送が、検査作業者などの人の手によって行なわれる場合には、何らかの外的要因による作業の中断や単純な操作ミスなどにより、必要な検査工程が未完了の状態となってしまうおそれがあった。
そのため、このような検査工程が未完了で、製造不良等で検査基準に満たない物品が、次の検査工程に移送されてしまうと、これを以降の検査工程で見つけることができないので商品として流出してしまうことがあった。
【０００８】
すなわち、上記特許文献１記載の技術は、装置が測定した検査結果に基づいて、基準に適合するか否かの表示を行なうので、必要な検査工程が未完了であることは発見できなかった。また、特許文献２記載の製造システムの製造工程管理システムは、処理工程の処理内容に基づいて、以降の検査工程をスキップするか否かを判定するだけであって、検査工程が未完了であるか否かを発見できなかった。
また、このような事態の防止には、検査工程を一箇所に集中し、物品の移送を行なうことなく全ての検査を行なうことが考えられるが、検査環境の見直しや検査装置や検査プログラム等の開発などに、多大な時間や費用がかかってしまうという問題があった。
【０００９】
本発明は、以上のような従来の技術が有する問題を解決するために提案されたものであり、既存の検査環境等において容易に適用できるようにして、低コストで導入可能とするとともに、人為的なミスでの検査工程の未完了などにより不良品が流出する事態を防止できるようにした検査工程管理システム、端末装置、サーバ装置、検査工程管理方法及び検査工程管理プログラムの提供を目的とする。
【課題を解決するための手段】
【００１０】
上記目的を達成するため、本発明の検査工程管理システムは、所定の検査対象に対する複数の検査工程に対応して配置される端末装置と、前記各検査工程の検査結果情報が記憶される情報記憶手段を有したサーバ装置と、を備え、前記端末装置が、前記サーバ装置の情報記憶手段から当該端末装置に対応する検査工程より前の検査工程の検査結果情報を取得する情報取得手段と、前記情報取得手段で取得した検査結果情報に基づいて所定の通知を行なう通知手段と、を備えている。
【００１１】
また、本発明の端末装置は、所定の検査対象に対する複数の検査工程に対応して配置される端末装置であって、サーバ装置が備える前記各検査工程の検査結果情報が記憶される情報記憶手段から、対応する検査工程より前の検査工程の検査結果情報を取得する情報取得手段と、前記情報取得手段で取得した検査結果情報に基づいて所定の通知を行なう通知手段と、を備えている。
【００１２】
また、本発明のサーバ装置は、所定の検査対象に対する複数の検査工程に対応して配置される端末装置と通信可能なサーバ装置であって、前記各検査工程の検査結果情報が記憶される情報記憶手段と、前記情報記憶手段に記憶された検査結果情報を発信する情報発信手段と、を備え、前記端末装置に、検査結果情報に基づいて所定の通知を行なわせる。
【００１３】
また、本発明の検査工程管理方法は、所定検査対象に対する複数の検査工程における該検査工程毎の検査結果情報が記憶される情報記憶手段から、実行する検査工程より前の検査工程の検査結果情報を取得するステップと、取得した検査結果情報に基づいて所定の通知を行なうステップと、を含む構成としている。
【００１４】
また、本発明の検査工程管理プログラムは、所定検査対象に対する複数の検査工程毎に配置される端末装置を、サーバ装置に備えられる情報記憶手段から、当該端末装置に対応する検査工程より前の検査工程の検査結果情報を取得する情報取得手段、前記情報取得手段で取得した検査結果情報に基づいて所定の通知を行なう通知手段、として機能させる。
【発明の効果】
【００１５】
本発明の検査工程管理システム、端末装置、サーバ装置、検査工程管理方法及び検査工程管理プログラムは、現状の検査環境等において容易に適用できるようにするとともに、大きな費用をかけることなく、人為的なミス等による検査工程の抜けや、検査工程の抜けによる不良品の流出を防止することができる。
【発明を実施するための最良の形態】
【００１６】
以下、本発明に係る検査工程管理システムの好ましい実施形態について説明する。
まず、図１及び図２を参照して本発明の第一実施形態に係る検査工程管理システムについて説明する。
図１は、本発明の第一実施形態に係る検査工程管理システムを示す概略図である。
図２は、本発明の第一実施形態に係る検査工程管理システムであって、（ａ）は、端末装置、（ｂ）は、サーバ装置を示すブロック図である。
【００１７】
本実施形態の検査工程管理システムは、所定の検査対象が検査される複数の検査工程が順に行なわれる検査ラインにおいて用いられる。
これらの複数の検査工程は、例えば、それぞれが別々の位置で行なわれるものであり、各検査工程と次の検査工程間の物品の移送は、検査作業者によって人手や、検査作業者が操作する機器により行なわれる。
また、検査対象は、例えば、全ての検査工程が行なわれた後に出荷されて製品となる、例えば、テレビ、コンピュータ等の電気機器などの物品である。この物品は、例えば、その表面に、物品毎に固有のＩＤコードに対応したバーコードが表面に表されるバーコードシールが貼付されている。
【００１８】
この検査工程管理システムは、図１及び図２に示すように、物品の検査を行なう第１から第ｍの検査工程毎に配置される第１から第ｍの端末装置１１〜１ｍと、各検査工程の検査結果情報が記憶される情報記憶手段２００を有したサーバ装置２０と、を備えている。
これらの端末装置１１〜１ｍ及びサーバ装置２０は、例えば、ＬＡＮ（Ｌｏｃａｌ  Ａｒｅａ  Ｎｅｔｗｏｒｋ）などのネットワーク３０を介して電気的に接続されており、互いに通信可能となっている。
【００１９】
端末装置１１〜１ｍは、例えば、コンピュータであって、図示しない、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）及びＲＡＭにアップロードされてＣＰＵで処理されるプログラムが記憶されたＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）などの記憶装置とを備えている。
また、端末装置１１〜１ｍは、検査作業者が操作する、例えば、キーボード、マウス及びバーコードやＲＦＩＤ等のハンドスキャナなどの入力装置（図示せず）を備えている。
【００２０】
端末装置１１〜１ｍは、本発明の識別情報入力手段１０１を備えている。
識別情報入力手段１０１は、物品の識別情報を入力するものであって、識別情報として、ＩＤコードが入力される。識別情報入力手段１０１は、例えば、シールのバーコードを読み込むバーコードスキャナで構成されている。
なお、識別情報入力手段１０１は、キーボードを含んでいる。キーボードでのＩＤコードの入力は、例えば、バーコードスキャナでのバーコードの読み込みが不調のときに行なわれる。
【００２１】
端末装置１１〜１ｍは、検査作業者によって操作される検査情報入力手段１０３を備えている。
検査情報入力手段１０３は、物品の検査に関連する情報が入力するものであって、検査により測定された数値の入力などが行なわれるキーボードである。
また、検査情報入力手段１０３は、マウスも含み、後述の表示手段に表示された項目をクリックすることにより検査情報の入力を行なうようにしてもよい。
【００２２】
また、端末装置１１〜１ｍは、情報記憶手段２００から各端末装置１１〜１ｍに対応する検査工程より前の検査工程の検査結果情報を取得する情報取得手段１０２と、情報取得手段１０２で取得した検査結果情報に基づいて所定の通知を行なう通知手段（１０５）と、を備えている。
情報取得手段１０２は、識別情報入力手段１０１で入力されたＩＤコードに対応した物品の検査結果情報を、ネットワーク３０を介して取得する機能を備えている。本実施形態では、情報取得手段１０２は、入力されたＩＤコードを、サーバ装置２０に送信する送信機能と、サーバ装置２０からＩＤコードに対応した検査結果情報を受信する受信機能とを備えている。
【００２３】
通知手段は、本実施形態において、例えば、情報取得手段１０２が取得した検査結果情報に基づく表示を行なう表示手段１０５である。
表示手段１０５は、例えば、ディスプレイなどの所定の情報を表示可能な表示装置であって、直前の検査結果情報を、検査作業者が認識可能に表示する。
【００２４】
端末装置１１〜１ｍは、この端末装置１１〜１ｍに対応する検査工程における物品の検査結果情報を作成する情報作成手段１００と、情報作成手段１００で作成した検査結果情報及び識別情報入力手段１０１で入力された物品に対応するＩＤコード及びをサーバ装置２０に送信する情報送信手段１０４と、を備えている。
情報作成手段１００は、検査情報入力手段１０３で入力された情報に基づいて検査結果情報を作成する。検査結果情報は、例えば、検査項目ごとの検査結果と、各検査項目が実施されたか否かを含んでいる。
【００２５】
この情報作成手段１００は、例えば、表示手段１０５に表示された検査項目ごとの入力フィールドに、検査により測定した数値などを入力して、送信ボタンを送信することにより検査結果情報を作成する。
情報送信手段１０４は、例えば、情報作成手段１００が作成した検査結果情報をサーバ装置２０に送信する。
【００２６】
また、端末装置１１〜１ｍは、記憶装置に記憶されるプログラムが、ＣＰＵが実行されることにより、上述の各手段が機能させられている。
また、第１の端末装置１１は、第１の検査工程より前の検査工程が無いことから、情報取得手段１０２などがなくてもよい。
【００２７】
サーバ装置２０は、例えば、コンピュータであって、ＣＰＵ、ＲＡＭ及びこのＲＡＭにアップロードされてＣＰＵで処理されるプログラムが記憶されるＨＤＤ、ＳＳＤなどの記憶装置とを備えている。
サーバ装置２０が備える情報記憶手段２００は、記憶装置で構成されている。
また、サーバ装置２０は、ＩＤコード及び検査結果情報を受信する情報受信手段２０２と、情報受信手段２０２が受信したＩＤコード及びＩＤコードに関連付けた検査結果情報を情報記憶手段２００に記憶させる情報管理手段２０１と、を備えている。
【００２８】
情報受信手段２０２は、ネットワーク３０を介して端末装置１１〜１ｍから受信したＩＤコード及び検査結果情報を情報管理手段２０１に出力する。
情報管理手段２０１は、ＩＤコード及び検査結果情報が情報受信手段２０２から入力されるとこれらを関連付けてデータベース化して情報記憶手段２００に記憶する。
【００２９】
また、サーバ装置２０は、本実施形態において、上述の情報取得手段１０２がネットワーク３０を介して送信したＩＤコードを受信してこれに対応する検査結果情報を検索する情報検索手段（図示せず）と、検索した検査結果情報を端末装置１１〜１ｍに発信する情報発信手段（図示せず）とを備えている。
情報管理手段２０１、情報受信手段２０２、検査結果情報を検索する手段、情報検索手段及び情報発信手段（図示せずは、その機能が、記憶装置に記憶されＲＡＭにアップロードされてＣＰＵで実行されるプログラムにより実現される。
【００３０】
次に、以上のような構成からなる本実施形態の検査工程管理システムの動作について、図３及び図４に示すフローチャート図を参照しつつ説明する。
本実施形態においては、物品に対する第１から第ｍの検査工程は、第１の検査工程から順に実施される。
【００３１】
ここで、第ｎの検査工程の検査作業者は、物品が第ｎ−１の検査工程から第ｎの検査工程に物品が移送されてくると、この物品を受け入れ（Ｓ１−１）、第ｎの端末装置１ｎの識別情報入力手段１０１を用い物品のＩＤコードを入力する（Ｓ１−２）。
第ｎの端末装置１ｎの情報取得手段１０２は、識別情報入力手段１０１にＩＤコードの入力があると（Ｓ２−１）、サーバ装置２０にアクセスするとともにＩＤコードを送信する。
サーバ装置２０は、第ｎの端末装置１ｎからＩＤコードを受信すると、情報記憶手段２００のデータベースから、ＩＤコードに対応した第ｎの検査工程より前の検査工程の検査結果情報を参照する（Ｓ２−３）。次に、サーバ装置２０は、参照した検査結果情報を、ＩＤコードを送信した端末装置１ｎに対して検査結果情報を送信する（Ｓ２−４）。
【００３２】
第ｎの端末装置１ｎは、サーバ装置２０からの入力したＩＤコードに対する検査結果情報を表示手段１０５に表示する（Ｓ２−５）。
検査作業者は、この表示手段１０５の表示を視認することにより、第ｎの検査工程より前の検査工程（本実施形態では、第ｎ−１の検査工程）で、この物品の検査が実施されたか否かを判断する（Ｓ１−３）。
検査作業者は、第ｎ−１の検査工程において、物品の検査がなされていたときは（Ｓ１−３Ｙｅｓ）、第ｎの検査工程における検査を行ない、この検査の検査結果を検査情報入力手段１０３を用いて入力する（Ｓ１−４）。
【００３３】
第ｎの端末装置１ｎは、検査情報入力手段１０３から検査結果が入力されると（Ｓ２−７）、表示手段１０５がこの検査結果の表示を行ない、情報作成手段１００が結果情報を作成し、情報送信手段１０４が識別情報とともにこの検査結果情報をサーバ装置２０に送信する（Ｓ２−８）。
また、第ｎの端末装置１ｎは、入力された検査結果が所定基準を満たすときには（Ｓ２−１２ＯＫ）、表示手段１０５に第ｎ＋１の検査工程に送る旨の表示を行なう（Ｓ２−１０）。
【００３４】
また、端末装置１ｎは、検査結果が所定基準を満たさないときは（Ｓ２−１２ＮＧ）、その旨の表示を行なう（Ｓ２−１３）。
検査作業者は、表示手段１０５に表示された検査結果情報を視認することにより、検査結果が良好であるときは（Ｓ１−５ＯＫ）、第ｎ＋１の検査工程に物品を移送し、検査結果が不良であるときは（Ｓ１−５ＮＧ）問題有りとして、以降の検査ラインから除外する。
【００３５】
検査作業者は、表示手段１０５の表示を視認することにより、第ｎ−１の検査工程が未実施であると判断したときは（Ｓ１−３Ｎｏ）、この物品を第ｎ−１の検査工程に返送する（Ｓ１−８）。
一方、サーバ装置２０の情報受信手段２０２が、端末装置１ｎからの識別情報及び検査結果情報を受信すると、情報管理手段２０１がこれらを関連付けて情報記憶手段２００のデータベースに格納する（Ｓ２−９）。
このようにして、その他の検査工程においても、検査作業者が、上記した第ｎの検査工程と同様にして検査を行なう。
【００３６】
以上説明したように、本実施形態に係る検査工程管理システムは、情報取得手段１０２が、サーバ装置２０の情報記憶手段２００から端末装置１１〜１ｍに対応する検査工程より前の検査工程の検査結果情報を取得するとともに、表示手段１０５が、検査結果情報に基づいて所定の表示を行なうので、検査作業者が、端末装置１１〜１ｍに対応する検査工程より前の検査工程が完了しているか否かを認識することができる。これにより、検査作業者の検査作業ミスなどがあっても、各物品が、各検査工程で確実に検査を受けることができる。そのため、不良品が流出する事態を防止できる。
【００３７】
また、本検査工程管理システムは、既存の検査環境に、端末装置１１〜１ｍ及びサーバ装置２０を配置することにより設置されるので、各検査工程を一箇所にまとめるなどの、既存の検査環境の変更がほとんどともなうことなく設置することができる。これにより、低コストでの導入が可能となる。
【００３８】
また、情報取得手段１０２が、識別情報入力手段１０１で入力された物品固有のＩＤコードに基づいて、情報記憶手段２００の検査結果情報を取得するので、各端末装置１１〜１ｍが対応する検査工程より前の検査結果情報を検査作業者に確実に提供することができる。
【００３９】
また、検査工程管理システムは、端末装置１１〜１ｍにおいて、情報送信手段１０４が、情報作成手段１００で作成した検査工程における物品の検査結果情報及び識別情報入力手段１０１で入力されたＩＤコードをサーバ装置２０に送信し、サーバ装置２０において、情報受信手段２０２が受信したＩＤコード及び検査結果情報を、情報管理手段２０１でこれらを関連付けて情報記憶手段２００に記憶するので、情報取得手段１０２が、検査結果情報を容易に取得することができる。
【００４０】
また、情報作成手段１００が、検査情報入力手段１０３で入力された情報に基づいて、検査結果情報を作成するので、検査結果情報の管理を容易に行なうことができる。
表示手段１０５が、検査結果情報に基づく所定の表示を行なうので、検査作業者が、端末装置１１〜１ｍに対応する検査工程より前の検査工程の検査結果情報の有無を認識できる。
また、表示手段１０５が、各端末装置１１〜１ｍに対応する検査工程の検査結果情報自体を表示するので、端末装置１１〜１ｍにおいて、例えば、検査結果情報が実行されない検査工程を判定する判定手段を省略することができ、特に、検査ラインの検査工程が少ないときなどに特に有効である。
【００４１】
また、検査作業者が、各検査工程に含まれる検査手順の途中で入れ替わってしまっても、検査作業者が、表示手段１０５に表示された検査結果情報を視認することにより、どの検査工程まで完了しているか確認することが可能であり、同じ検査工程を実施してしまうという時間を節約することができ、検査の作業効率を向上させることができる。また、物品の検査が未完了の状態で検査をおわらせてしまうという可能性を大幅に減らすことができる。
【００４２】
次に、本発明の第二実施形態に係る検査工程管理システムについて、図１、図５〜７を用いて説明する。
図５は、本実施形態に係る検査工程管理システムの端末装置を示す概略ブロック図である。図６は、本実施形態に係る検査工程管理システムの構成図である。
なお、本実施形態の検査工程管理システムは、上記第一実施形態と同様のものには同一の符号を付している。
【００４３】
検査工程管理システムは、図１、図５及び図６に示すように、検査対象が、例えば、所定の電気機器用の部品に対する検査ラインに用いられるシステムであって、上記実施形態と同様に、第１から第ｍの検査工程のそれぞれに端末装置１１〜１ｍを備えている（図１参照）。
そして、端末装置１１〜１ｍが、検査対象に所定の検査信号を送受信して検査を行なう検査手段１０６と、未実施の検査工程の有無を判定する判定手段１０８とを備え、未実施の検査工程が有りのときに、表示手段１０５が、受けるべき検査工程の表示を行なう点で、上記第一実施形態と異なる。
【００４４】
図６に示すように、端末装置１１〜１ｍは、コンピュータであって、ＣＰＵ部６０と、メモリ部６１と、記憶装置部６２と、ネットワーク３０に接続される通信部６６を備えている。また、端末装置１１〜１ｍは、表示手段１０５であるディスプレイ６４に所定の表示画面を表示させる画像出力部６３と、識別情報を入力する識別情報入力手段１０１としての入力装置６７を備えている。
【００４５】
また、この端末装置１１〜１ｍは、端末側制御Ｉ／Ｆ部６５を備えている。この端末側制御Ｉ／Ｆ部６５は、検査対象が備える検査対象側制御Ｉ／Ｆ部７１に、互いに接続される。
これらの制御Ｉ／Ｆ部６５、７１は、例えば、図示しない、ＰＣＩ−Ｅｘｐｒｅｓｓ、ＲＳ−２３２等のシリアル転送方式、ＰＣＩ、ＳＣＳＩやＩＥＥＥ等のパラレル転送方式などのコネクタなどを備えている。
本実施形態においては、検査対象は、機能拡張用ボード７０が、例えば、検査対象側制御Ｉ／Ｆ７１として、ＰＣＩ−Ｅｘｐｒｅｓｓのコネクタを備えたコンピュータの機能拡張用ボード７０であり、識別情報は、この機能拡張用ボード７０に付されたシリアルナンバーである。また、端末側制御Ｉ／Ｆ６５は、機能拡張用ボード７０の端末側制御Ｉ／Ｆ６５を接続可能なＰＣＩ−Ｅｘｐｒｅｓｓのポートである。
【００４６】
検査手段１０６の検査機能は、端末側制御Ｉ／Ｆ部６５及び検査対象側制御Ｉ／Ｆ部７１を介して所定の検査信号を送受信するものであって、記憶装置部６２に記憶されるとともに、メモリ部６１にアップロードされＣＰＵ部６０で実行されるプログラムで実現される。
この検査手段１０６は、機能拡張用ボード７０に、所定の電気信号を入出力することにより機能拡張用ボード７０が正常に動作するか否かの検査を行なう。また、本実施形態の情報作成手段１００は、検査手段１０６による検査結果に基づいて検査結果情報を作成する。
【００４７】
判定手段１０８は、検査手段１０６による機能拡張用ボード７０の検査前に、情報取得手段１０２が取得した検査結果情報に基づいて、端末装置１１〜１ｍに対応する検査工程より前の検査工程が実施されたか、又は、実施されなかったかを判定する。
そして、判定手段１０８は、この前の検査工程が実施されなかったときに、その旨の表示を表示手段１０５に行なわせる。
【００４８】
端末装置１１〜１ｍの情報取得手段１０２、検査手段１０６及び判定手段１０８は、ＲＡＭにアップロードされてＣＰＵで実行される検査工程用プログラムで実現されている。この検査工程用プログラムは、端末装置１１〜１ｍの記憶装置に記憶されている。
また、検査工程用プログラムは、検査の実施前に、端末装置１１〜１ｍの入力装置６７でシリアルナンバーが入力されたときに、起動させられる。
検査プログラムは、検査工程上、必要な検査を、機能拡張用ボード７０に対して行なう。
【００４９】
検査用プログラムは、サーバ装置２０にシリアルナンバーを送信し、サーバ装置２０に格納され、送信したシリアルナンバーに対応する検査結果情報を受信し、この検査結果情報に基づく画像表示情報を画像出力部６３からディスプレイ６４に出力し、これに画像を表示させる。
【００５０】
次に、本実施形態の検査工程管理システムの動作について、図７及び図８に示すフローチャートを用いて説明する。
なお、検査作業者が、検査工程において行なう作業としては、第一実施形態と同様に、第ｎ−１の検査工程から第ｎの検査工程に機能拡張用ボード７０が移送されてくると、検査作業者は、この機能拡張用ボード７０を受け入れるとともに、第ｎの端末装置１ｎ及び機能拡張用ボード７０の制御Ｉ／Ｆ部６５、７１を介して接続する（Ｓ３−１）。そして、第ｎの端末装置１ｎの入力装置６７を用い機能拡張用ボード７０のシリアルナンバーを入力する（図３参照、Ｓ３−２）。
【００５１】
第ｎの端末装置１ｎは、入力装置６７にシリアルナンバーの入力があると（Ｓ４−１）、このシリアルナンバーに対応した検査プログラムが起動するとともに、これをＣＰＵ部６０で実行する。そして、端末装置１ｎは、サーバ装置２０に格納されている検査結果を参照し（Ｓ４−２〜Ｓ４−４）、そのシリアルナンバーに対応する検査結果情報を端末装置１ｎのディスプレイ６４に表示する（Ｓ４−５）。
【００５２】
また、端末装置１ｎで実行される検査プログラムが、検査結果情報に基づいて、次に必要な検査工程の判定を行なう。
すなわち、第ｎの端末装置１ｎは、第ｎ−１の検査工程が行なわれており（Ｓ４−６Ｙｅｓ）、機能拡張用ボード７０に対して必要な検査工程が第ｎの検査工程であるので、検査プログラムが第ｎの検査工程における機能拡張用ボード７０の検査を進め（Ｓ４−７）、ディスプレイ６４に第ｎの検査工程の検査結果の表示を行なわせ、検査結果を自動的にサーバ装置２０に送信する（Ｓ４−８）。そして、検査結果が良好であれば（Ｓ４−１２ＯＫ）、ディスプレイ６４に第ｎ＋１の検査工程に進む旨の表示を行なう（Ｓ４−１０）。
【００５３】
検査作業者は、これを視認することにより、機能拡張用ボード７０を第ｎ＋１の検査工程に移送する（Ｓ３−５ＯＫ、Ｓ３−６）。一方、端末装置１ｎは、機能拡張用ボード７０の検査結果が不良であれば（Ｓ４−１２ＮＧ）、ディスプレイ６４にその旨の表示を行なう（Ｓ４−１３）。検査作業者は、この表示を視認することにより（Ｓ３−５ＮＧ）、検査問題ありとして、機能拡張用ボード７０を検査ラインから除外する（Ｓ３−７）。
【００５４】
また、端末装置１ｎは、第ｎ−１の検査工程が行なわれておらず（Ｓ４−６Ｎｏ）、機能拡張用ボード７０に対して必要な検査工程が第ｎ−１の検査工程であるときは、必要である第ｎ−１の検査工程をディスプレイ６４に表示して、検査プログラムを終了する（Ｓ４−１１）。そして、検査作業者は、ディスプレイ６４の表示を視認することにより、機能拡張用ボード７０を、第ｎ−１の検査工程に返送する（Ｓ３−８）。
【００５５】
以上説明したように、本実施形態に係る検査工程管理システムは、検査手段１０６が所定の検査信号を機能拡張用ボード７０に送受信して検査を行ない、情報作成手段１００が、検査手段１０６で行なった検査の結果に基づいて検査結果情報を作成するので、検査を自動化でき、検査作業を効率化することができる。
すなわち、検査工程管理システムは、各検査工程の端末装置１１〜１ｍに、検査工程毎の検査用プログラムを備え、この検査用プログラムを実行させることにより、機能拡張用ボード７０に対するすべての検査工程をスムーズに進めることができる。
【００５６】
また、端末装置１１〜１ｍの判定手段１０８が、情報取得手段１０２が取得した検査結果情報に基づいて、未実施の検査工程の有無を判定し、この判定手段１０８で未実施の検査工程が有ることを判定したときに、ディスプレイ６４に受けるべき検査工程の表示を行なわせるので、検査作業者がディスプレイ６４に表示される検査結果情報を見てから、手動で次の検査を進めなくても良くなる。そのため、単純な操作ミスを減らすことができる。
【００５７】
以上、本発明の検査工程管理システム、端末装置、サーバ装置、検査工程管理方法及び検査工程管理プログラムについて、好ましい実施形態を示して説明したが、本発明に係る検査工程管理システム、端末装置、サーバ装置、検査工程管理方法及び検査工程管理プログラムは、上述した実施形態にのみ限定されるものではなく、本発明の範囲で種々の変更実施が可能であることは言うまでもない。
【００５８】
例えば、実施形態において、検査対象は、テレビ、コンピュータ、機能拡張用ボードなどの電気機器で説明したが、例えば、植物、青果物、食品、衣服などどのようなものでもよい。
また、識別情報が、ＩＤコード、シリアルナンバーである構成としたが、これに限定されるものでなく、各物品に固有のものであればなんでもよい。
また、識別情報が、各物品に固有のものでなくとも、例えば、ロットナンバーなど生産単位毎に付されるものであってもよい。この場合、検査ラインで検査される検査対象は、同一のロットナンバーが付された一組の物品がまとめてに移送されるようにすることが好ましい。
また、検査手段が、有線で物品と接続されるものとしたが、これに限定されるものでなく、無線通信やＸ線などの所定の検査信号を送受信できるものであればなんでもよい。
また、各検査工程において、直前の検査工程を受けていないときに、その検査工程に返送するようにしたが、それ以前のいずれかの検査工程に返送するようにしてもよい。
【００５９】
また、通知手段が、所定の表示を行なう表示手段であるとしたが、検査結果情報に基づく通知を行なうことができるものであればなんでもよく、例えば、音声で通知するスピーカや、震動で通知するバイブレータなどであってもよい。
また、第二実施形態では、端末側制御Ｉ／Ｆ部及び検査対象側制御Ｉ／Ｆ部が直接接続されるようにしたが、例えば、ケーブルを介して接続するようにしてもよい。
また、検査工程管理システムは、上記各実施形態の端末装置が混在していてもよく適宜設計変更して差支えない。
【図面の簡単な説明】
【００６０】
【図１】本発明の第一実施形態に係る検査工程管理システムを示す概略構成図である。
【図２】本発明の第一実施形態に係る検査工程管理システムにおいて、（ａ）は、端末装置、（ｂ）は、サーバ装置を示す機能ブロック図である。
【図３】本発明の第一実施形態に係る検査工程管理システムにおいて、検査作業員の作業手順を示すフローチャート図である。
【図４】本発明の第一実施形態に係る検査工程管理システムの動作を示すフローチャート図である。
【図５】本発明の第二実施形態に係る検査工程管理システムの端末装置の機能ブロック図である。
【図６】本発明の第二実施形態に係る検査工程管理システムの端末装置の構成図である。
【図７】本発明の第二実施形態に係る検査工程管理システムの検査作業員の作業手順を示すフローチャート図である。
【図８】本発明の第二実施形態に係る検査工程管理システムの動作を示すフローチャート図である。
【符号の説明】
【００６１】
１１〜１ｍ  端末装置
１００  情報作成手段
１０１  識別情報入力手段
１０２  情報取得手段
１０３  検査情報入力手段
１０４  情報送信手段
１０５  表示手段
１０６  検査手段
１０８  判定手段
２０  サーバ装置
２００  情報記憶手段
２０１  情報管理手段
２０２  情報受信手段
３０  ネットワーク
６０  ＣＰＵ部
６１  メモリ部
６２  記憶装置部
６３  画像出力部
６４  ディスプレイ
６５  端末側制御Ｉ／Ｆ部
６６  通信部
６７  入力装置
７０  機能拡張用ボード
７１  検査対象側制御Ｉ／Ｆ部
【図１】
2010026757.tif 000003
【図２】
2010026757.tif 000004
【図３】
2010026757.tif 000005
【図４】
2010026757.tif 000006
【図５】
2010026757.tif 000007
【図６】
2010026757.tif 000008
【図７】
2010026757.tif 000009
【図８】
2010026757.tif 000010